(57)【要約】【課題】芯部の有無に関係なく、ラップフィルムで包装加工することなく、柱状又は環状に加工された食品を収容できるようにする。【解決手段】上面開口部１５に向かうにしたがって大きく開口するように、側壁部１０にテーパが形成された容器本体１と、該容器本体１の上面開口部１５の周縁部に嵌合する蓋体３０とを備え、容器本体１と蓋体３０とで形成される空間に、筒状又は柱状の食品Ｐが直立状態で収容される食品用包装容器において、収容される食品Ｐの少なくとも上部を外方から保持する保持手段３８を、蓋体３０又は容器本体１の内部に設ける。【選択図】図１
2011046404.tif 000002
【特許請求の範囲】
【請求項１】
容器本体（１）と、該容器本体（１）の上面開口部（１５）の周縁部に嵌合する蓋体（３０）とを備え、容器本体（１）と蓋体（３０）とで形成される空間に、筒状又は柱状の食品（Ｐ）が直立状態で収容される食品用包装容器において、
蓋体（３０）又は容器本体（１）は、収容される食品（Ｐ）の少なくとも上部を外方から保持する保持手段（３８）が内部に設けられることを特徴とする食品用包装容器。
【請求項２】
前記保持手段（３８，３８０）は、食品（Ｐ）の上部の外周を取り囲むように設けられる環状壁部（３４，３８０ｂ）、或いは、該外周に所定の間隔をおいて配置される複数の保持壁部（３８０ａ）で構成されることを特徴とする請求項１に記載の食品用包装容器。
【請求項３】
一方の食品用包装容器（Ａ）の容器本体（１）の側壁部（１０）と、他方の食品用包装容器（Ａ）の蓋体（３０）の側壁部（３４）とが安定して当接するように、各側壁部（１０，３４）にそれぞれ平坦部（１３，３４ａ）を形成することを特徴とする請求項１又は２に記載の食品用包装容器。
【請求項４】
容器本体（１）を透明にすると共に、該容器本体（１）の底壁部（２）に下方に窪んだ凹状の脚部（９，…）を形成すると共に、該脚部（９，…）を不透明にすることを特徴とする請求項１乃至３のいずれか１項に記載の食品用包装容器。
【発明の詳細な説明】
【技術分野】
【０００１】
本発明は、例えば芯部を取り除いた柱状のパイナップル等を包装するための食品用包装容器に関する。
【背景技術】
【０００２】
従来のこの種の食品用包装容器としては、例えば、底部の中央部に上向きに突設された凸部を有する容器本体と、中央部に下向きに突設された凸部を有し、該容器本体の上面開口部の周縁部に嵌合する蓋体とを備え、芯部を取り除いて、薄切りにしたスライスパイナップルを積み重ねて柱状にして収容するものが公知になっている（特許文献１参照）。
【０００３】
前記各凸部は、同心状に形成されて対向するように形成され、しかも、蓋体の凸部の長さよりも、容器本体の凸部の長さが小さくなっている。具体的には、容器本体の凸部の長さは、最下部のスライスパイナップルの一枚分の厚さよりもやや大きく、つぎに積み重ねられるスライスパイナップルの中空部に差し掛かる程度の長さになっている。一方、蓋体の凸部の長さは、下から２枚目のスライスパイナップルの中空部に差し掛かる程度の長さで、互いの凸部は接しないようになっている。
【０００４】
そして、容器本体の凸部に、等分に薄切りされたスライスパイナップルの中空部を挿通させる。この際、容器本体の凸部は、当該スライスパイナップルの中空部からやや突き出たようになる。その後、複数のスライスパイナップルを順次積み重ねて柱状にする。この状態で、蓋体を容器本体の上面開口部の周縁部に嵌合させると、該蓋体の凸部が、パイナップルの中空部に挿通されて、下から２枚目のスライスパイナップルの中空部に差し掛かる。即ち、各凸部によって、柱状のパイナップ全体が安定支持されることになる。
【０００５】
また、他の従来の食品用包装容器としては、例えばトレイに、パイナップルの向きを交互に逆向きにして収容する凹部を形成し、該凹部にパイナップルの一部を落とし込むための落とし込み部（楕円形の孔）を設けると共に、落とし込まれた状態のパイナップルの一部が外箱に対して非接触になるようにしたものが公知になっている（特許文献２参照）。
【０００６】
そして、トレイの凹部によって、外箱から浮いた状態で安定支持されるので、緩衝部材を用いることなく、運搬時の衝撃からパイナップルを保護できるようにしている。
【先行技術文献】
【特許文献】
【０００７】
【特許文献１】実公昭５８−３４０６３号公報
【特許文献２】特開２００７−３０９５８号公報
【発明の概要】
【発明が解決しようとする課題】
【０００８】
しかしながら、従来の前者の食品用包装容器の場合、芯部を取り除いた食品には対応できるが、芯部を取り除く必要のない食品、例えばハム等においては対応できないという問題がある。
【０００９】
また、後者の食品用包装容器の場合、パイナップルそのものを運搬するには適しているが、パイナップルを薄切りにしたスライスパイナップルや芯部を取り除いた筒状パイナップルには不向きである。即ち、トレイの凹部にスライスパイナップルまたは筒状パイナップルを収容することは可能であるが、これら加工パイナップルは、ドリップ（汁）が出るので、ラップフィルムで包装する必要が生じる。この場合、加工パイナップルを直に押圧してしまい、商品価値が損なわれたり、ドリップが多く出てしまったりすることがあるという問題がある。
【００１０】
そこで、本発明は、上記問題を鑑み、芯部の有無に関係なく、ラップフィルムで包装加工することなく、柱状又は環状に加工された食品を収容できる食品用包装容器を提供することを課題とする。
【課題を解決するための手段】
【００１１】
本発明に係る食品用包装容器は、容器本体１と、該容器本体１の上面開口部１５の周縁部に嵌合する蓋体３０とを備え、容器本体１と蓋体３０とで形成される空間に、筒状又は柱状の食品Ｐが直立状態で収容される食品用包装容器において、蓋体３０又は容器本体１は、収容される食品Ｐの少なくとも上部を外方から保持する保持手段３８が内部に設けられることを特徴とする。
【００１２】
この場合、運搬時の振動によって、収容されている食品Ｐが縦横に揺れたとしても、食品Ｐの少なくとも上部を外方から保持する保持手段３８が内部に設けられているので、食品Ｐが収容された際の状態、即ち直立状態に保持される。つまり、運搬時の振動に対して食品Ｐががたつくこともなく、このがたつきによる容器本体１及び蓋体３０の内壁に対する食品Ｐの衝突もなく、該衝突によるドリップの発生も抑制できるようになる。したがって、芯部の有無に関係なく、容器本体１と蓋体３０とで形成される空間に食品Ｐを収容することができる。また、ドリップの発生を抑制できるので、ラップフィルムで包装加工することもなく、食品Ｐを前記空間に直に収容することができる。なお、食品Ｐの下側の端部は容器本体１の底壁部に直に載置されるので、底壁部の大きさによって食品Ｐのがたつきは回避できる。したがって、底壁部に保持手段３８を設けることは必須ではない。
【００１３】
また、本発明によれば、前記保持手段３８，３８０を、食品Ｐの上部の外周を取り囲むように設けられる環状壁部３４，３８０ｂ、或いは、該外周に所定の間隔をおいて配置される複数の保持壁部３８０ａ，…で構成するようにしてもよい。
【００１４】
この場合、食品Ｐの上部の外周を環状壁部３４，３８０ｂで取り囲んだり、該外周に所定の間隔をおいて複数の保持壁部３８０ａ，…を配置したりすれば、食品の上部の位置が環状壁部３４，３８０ｂや保持壁部３８０ａ，…によって保持されて、食品Ｐの直立状態が維持される。即ち、食品Ｐの商品価値を維持できる。
【００１５】
また、本発明によれば、一方の食品用包装容器Ａの容器本体１の側壁部１０と、他方の食品用包装容器Ａの蓋体３０の側壁部３４とが安定して当接するように、各側壁部１０，３４にそれぞれ平坦部１３，３４ａを形成するような構成を採用することもできる。
【００１６】
この場合、一方の容器本体１の側壁部１０の平坦部１３に、他方の蓋体３０の側壁部３４の平坦部３４ａを当接させることで、互いの容器Ａ，Ａが安定して当接するようになるため、容器本体１を斜めにして陳列することができる。したがって、容器本体１の側壁部１０を消費者の目にとまる位置に大きく露出させる状態で、容器Ａに収容された食品を展示できるようになる。即ち、消費者は、収容された食品Ｐを容器本体１の側壁部１０を通して大きく捕らえることができる。つまり、食品Ｐの宣伝効果がより一層向上すると共に、消費者の目を引くようになって、消費者は購買意欲が大きくなる。
【００１７】
また、本発明によれば、容器本体１を透明にすると共に、該容器本体１の底壁部２に下方に向かって窪んだ凹状の脚部９，…を形成すると共に、該脚部９，…を不透明にするような構成を採用することもできる。
【００１８】
この場合、凹状の脚部９，…を不透明にすることで、該脚部９，…に溜まった食品Ｐのドリップを消費者から外観視できなくなり、ドリップを外観視することによる食品Ｐに対する不衛生を感じさせることがなく、消費者の購買意欲も低下させることがない。
【発明の効果】
【００１９】
以上説明したように、本発明によれば、直立状態で収容される筒状又は柱状の食品の少なくとも上部の位置を保持する保持手段を、蓋体又は容器本体に設けるようにしたので、芯部の有無に関係なく、ラップフィルムで包装加工することなく、柱状又は筒状に加工された食品を収容することができる。
【図面の簡単な説明】
【００２０】
【図１】本発明の一実施形態に係る食品用包装容器を示す正面図。
【図２】容器本体の正面図。
【図３】容器本体の平面図。
【図４】容器本体と蓋体との嵌合部を示す拡大断面図。
【図５】蓋体の正面図。
【図６】蓋体の平面図。
【図７】図１の食品用包装容器を、斜めにして棚に陳列した状態を示す概略断面図。
【図８】食品用包装容器の変形例を示す斜視図。
【図９】蓋体の変形例であって、容器本体と蓋体との嵌合部を示す拡大断面図。
【発明を実施するための形態】
【００２１】
本発明に係る食品用包装容器の一実施形態について図１〜図６を参照しつつ説明する。なお、該食品用包装容器に収容される食品としては、芯部を取り除いた筒状に加工された筒状パイナップルとする（以下、単に食品という場合もある）。また、以下の説明において、「外方」、「内方」なる用語が用いられることがあるが、「外方」とは、容器本体１（蓋体３０）の中心から見て水平方向に広がる方向（径外方向）をいい、「内方」とは、水平方向において外側から容器本体１（蓋体３０）の中心側に向かう方向（径内方向）をいう。
【００２２】
本実施形態に係る食品用包装容器について説明する。該食品用包装容器Ａ（以下、単に容器という）は、透明の容器本体１と、該容器本体１の上面開口部１５を閉塞した透明の蓋体３０とを備えている。そして、容器Ａは、容器本体１に蓋体３０が取り付けられた状態で、略８角柱体をなす、所謂角形容器である。但し、厳密にいえば、容器本体１及び蓋体３０の各コーナー部は直角ではなく、角をとって丸みが付けられている。また、容器本体１及び蓋体３０を透明としている理由は、内部に収容される食品Ｐを容器本体１及び蓋体３０を通して外観視しやすいためである。換言すれば、内部に収容される食品Ｐを消費者の目に引きやすくすると共に、きれいに見せるためである。
【００２３】
容器本体１は、大きく分けると、下方に窪んで、筒状パイナップルＰの収容部を構成する本体部２と、該本体部２の外周に沿って設けられる外周部２０とを備えている。また、蓋体３０は、大きく分けると、上方に膨らんで容器本体１の本体部２と共に、筒状パイナップルＰの収容部を概略的に構成する蓋本体部３１と、該蓋本体部３１の外周に沿って設けられる蓋外周部４０とを備えている。
【００２４】
容器本体１の本体部２は、図１及び図２に示すように、底壁部３と、該底壁部３の外周から上方に延びる、筒状パイナップルＰの収容部を構成する側壁部１０とを備えている。そして、容器本体１は、プラスチックシート（合成樹脂製シート）を絞り加工によって形成されているため、側壁部１０は、抜き勾配によって、上面開口部１４に向かうにしたがって大きく開口されている。プラスチックとしては、例えば、ポリプロピレン（ＰＰ）、ポリエチレンテレフタレート（ＰＥＴ）、あるいはポリスチレン（ＰＳ）などの材質が用いられる。そして、容器本体１の高さは、筒状パイナップルＰの長さよりも小さくなっており、筒状パイナップルＰを直立状態で収容した際は、筒状パイナップルＰの上部が容器本体１の上面開口部１４から外部に臨出するようになっている。以下、容器本体１を構成する本体部（底壁部３、側壁部１０）１、外周部２０の順に詳細に説明する。
【００２５】
底壁部３は、図３に示すように、中央部に円錐台状の第１凸部４が形成されると共に、該第１凸部４の直交する２本の中心線の延長線上に、Ｔ字形状の第２凸部５，…が連設されている。即ち、該第２凸部５，…は４等分の位置に配置されている。また、第２凸部５，…の高さは、第１凸部４の高さよりも低くなっており、第２凸部５，…によって筒状パイナップルＰの下側の端部が安定支持されると共に、第１凸部４が筒状パイナップルＰの空洞部に挿入しやすい構成になっている。
【００２６】
また、底壁部３の第１凸部４及び第２凸部５と、後述する側壁部１０の第３凸部１１及び第４凸部１２とに囲まれた部位に略６角形状の第１凹部６が形成されている（図３参照）。該第１凹部６は、隣接する６つ側面７ａ，７ｂ，７ｂ、８ａ，８ｂ，８ｂのうち、３つの側面７ａ，７ｂ，７ｂは外側、即ち容器本体１の側壁部１０側に位置すると共に、残り３つの側面８ａ，８ｂ，８ｂは内側、即ち底壁部３側に位置している。そして、外側に位置する３つの側面７ａ，７ｂ，７ｂのうち、中央の側面７ａは、後述する側壁部１０の第３凸部１１側に位置し、該中央の側面７ａを挟む一対の側面７ｂ，７ｂは、第２凸部５，５の側壁を構成している。
【００２７】
さらに、図３に示すように、３つの側面７ａ，７ｂ，７ｂによって略等脚台形状の第２凹部９が、第１凹部６よりも深くなるように形成されている。そして、中央の側面７ａを波形状に形成することで、第２凹部９全体を外観視しづらい構成にしている。即ち、第２凹部９に溜まったドリップが外部から見にくいようにしている。この理由としては、消費者が第２凹部９に溜まったドリップを見ることで、筒状パイナップルＰに対して不衛生さを感じることを回避するためである。また、第２凹部９，…は、容器本体１の脚部として等間隔に４つ形成されており、その底部は平坦で、容器本体１が安定した状態で直立するようになっている。
【００２８】
一方、内側に位置する３つの側面８ａ，８ｂ，８ｂのうち、中央の側面８ａは、円弧状に形成されると共に、底壁部３の第１凸部４の側壁を構成している（図３参照）。また、該中央の側面８ａを挟む一対の側面８ｂ，８ｂは、第２凸部５の側壁部を構成している。また、該一対の側面８ｂ，８ｂから第２凹部９に向かうにしたがって間隔が狭くなる一対の突条体９ａ，…が形成されている。即ち、底壁部３の第１凹部６に溜まったドリップは、第２凹部９，…に流入するように構成されている。また、底壁部３の内径は、収容される筒状パイナップルＰの下側の端部の外径よりもやや大きく形成されている。したがって、筒状パイナップルＰの下側の端部の外径よりも、容器本体１の底壁部３の内径がやや大きくなっているので、筒状パイナップルＰの下側の端部が、底壁部３と側壁部１０とによって位置規制されるようになり、運搬時の振動によって、筒状パイナップルＰが容器本体１や蓋体３０の内壁に衝突することがなく、該衝突による筒状パイナップルＰからのドリップの発生を抑制している。
【００２９】
側壁部１０は、図１及び図２に示すように、高さ方向に沿って細長い、複数の矩形状の壁面１０ａ，…で構成されており、該各壁面１０ａ，…に、底壁部３に向かうにしたがって細くなる三角形状の第３凸部１１，…と、略台形状の第４凸部１２，…が交互に形成されると共に、同一形状の凸部１１，１２が対峙するように形成されている。また、第３凸部１１，…の先端部は底壁部３まで到達し、上述した底壁部３の第２凹部９の中央の側面７ａ側に位置している。また、第４凸部１２の先端部は底壁部３の手前に位置し、該先端部から、側壁部１０と略面一になるように緩やかに傾斜しつつ底壁部３まで延出される平坦部１３が形成されている。そして、側壁部１０の上端部に上面開口部１４が形成されると共に、該上面開口部１４の周縁部から外方に延びる（張り出す）、より詳しくは、傾斜することなく外方に延びるように第１鍔部１５が形成され、該第１鍔部１５の周縁部から上方に延びるように内環状部１６が形成されている。
【００３０】
容器本体１の外周部２０は、図４に示すように、内環状部１６の周縁部から外方に延びる（張り出す）、より詳しくは、傾斜することなく外方に延びるように形成された第２鍔部２１と、該第２鍔部２１の周縁部から容器本体１の内方、即ち中心側に少し傾斜するように立ち上げられた外環状部２２と、該外環状部２２の周縁部から容器本体１の外方に少し傾斜するように立ち上げられた折曲部（逃げ部）２３と、該折曲部２３の周縁部から外方に延びる（張り出す）、より詳しくは、傾斜することなく下方に延びる頂部２４と、該頂部２４から下方に延びる（垂下する）、より詳しくは、傾斜することなく下方に延びる垂下部２５と、該垂下部２５から外方に延びる（張り出す）、より詳しくは、傾斜することなく外方に延びる縁部（容器本体の外周縁）２６と、一壁面に位置する縁部２６の部位に外方に延びるように形成された三角形状の摘み片２７とを備えている。そして、外環状部２２と、折曲部２３、頂部２４、垂下部２５で嵌合凸部２８が形成されている。
【００３１】
蓋体３０は、容器本体１と同一素材が使用されて、絞り加工によって形成されている。そして、蓋本体部３１は、図４〜図６に示すように、容器本体１の上面開口部１４と同一形状（８角形状）の上壁部３２と、下面開口部３３に向かうにしたがって大きく開口された側壁部（環状壁部）３４と、該側壁部３４から外方に延びる（張り出す）、より詳しくは、傾斜することなく下方に延びる段落部３５と、該段落部３５の周縁部から外方に少し傾斜して形成された第１立上り部３６と、該第１立上り部３６の周縁部から外方に延びる（張り出す）、より詳しくは、傾斜することなく外方に延出された鍔部３７とを備えている。そして、側壁部３４、段落部３５、第１立上り部３６で、筒状パイナップルＰの上部の位置を保持する保持手段３８が構成されている。また、側壁部３４は、容器本体１の平坦部１３に安定して当接する矩形状の平坦な壁面３４ａで構成されている。
【００３２】
蓋体３０の蓋外周部４０は、図４に示すように、鍔部３７の周縁部から外方に少し傾斜して形成された折曲部（逃げ部）４１と、該折曲部４１の周縁部から内方、即ち蓋本３０の中心側に少し傾斜して形成された第２立上り部４２と、該第２立上り部４２の周縁部から外方に延びる（張り出す）、より詳しくは、傾斜することなく外方に延出された頂部４３と、該頂部４３の周縁部から下方に延びる、より詳しくは、傾斜することなく下方に延びる立下り部４４と、該立下り部４４から外方に延びる（張り出す）、より詳しくは、傾斜することなく外方に延びる縁部（蓋体３０の外周縁）４５と、一壁面に位置する縁部４５の部位に外方に延びるように形成された三角形状の摘み片４６とを備えている。そして、折曲部４１、第２立上り部４２、頂部４３、立下り部４４で嵌合凹部４７が形成されている。なお、容器本体１及び蓋体３０の外周縁のエッジの鋭利さを解消するための種々の施策は、縁部２６，４５に施されるものである。
【００３３】
また、蓋外周部４０の嵌合凹部４７、即ち蓋体外周部４０の第２立上り部４２、頂部４３、立下り部４４が、容器本体１の嵌合凸部２８の外環状部２２、頂部２４、垂下部２５に密接又はそれに近い状態で対峙する。そのため、嵌合凹部４７は、容器本体１の嵌合凸部２８に外嵌する。言い換えれば、容器本体１の凸部が蓋体３０の凹部に嵌入することにより、蓋体３０は、容器本体１に着脱自在に取り付けられる。しかも、嵌合凸部２８及び嵌合凹部４６の断面形状は、いずれも略台形状を呈しており、頂部２４，４４が幅広く、該頂部２４，４４に対向する開口部が幅狭く形成されると共に、外環状部２２及び第２立上り部４２が所定の傾斜角度をもっているので、嵌合凸部２８に嵌合凹部４６が嵌合する際は、嵌合凸部の２８の外環状部２２に嵌合凹部４６の第２立上り部４２が当接することによって、嵌入方向がガイドされつつ、嵌合凹部４６が容器本体１の嵌合凸部２８の膨らみを越えて嵌合するようになる。さらに、頂部が２４，４４が幅広く、該頂部２４，４４に対向する開口部が幅狭く形成されているので、嵌合した時に、一旦狭められた状態から元の状態に復帰しようとする弾性力によって嵌合するようになり、充分な嵌合力が確保される。即ち外れにくい構造になっている。
【００３４】
このような容器本体と蓋体との嵌合構造は、所謂内外嵌合タイプとなっている。この嵌合構造によって、内部に収容される筒状パイナップルＰの新鮮さが保持されると共に、筒状パイナップルＰのドリップが外部に漏れ出ることがなくなる。即ち、食品用包装容器Ａの外面が漏れ出たドリップによってべたつくことがない。一方、蓋外周部４０及び容器外周部２０の摘み片２７，４６を互いに異なる方向に引っ張ると、嵌合凹部４６の開口部が大きくなるように変形されるので、上述した凹凸嵌合が容易に解除されるようになる。
【００３５】
また、嵌合凹部４７の嵌合位置と第１立上り部３６の長さによって、筒状パイナップルＰの上部を保持する位置が設定される。この位置は、容器本体１の第１鍔部１５の位置よりも低く、保持手段３８の上端部に対して筒状パイナップルＰの上端部との間隔が３ｍｍ程度で、保持手段３８の下端部に対して筒状パイナップルＰの上部との間隔が５ｍｍ程度になっており、蓋体３０の上壁部３２に対して筒状パイナップルＰの上部の端面との間隔が５〜８ｍｍ程度になっている。この理由としては、本実施形態では筒状パイナップルＰの上部が蓋体３０の上部まで位置しているが、筒状パイナップルＰの大きさによっては、筒状パイナップルＰの上部が側壁部１０の下部に位置する場合もあるため、余裕を持たせる必要があるためである。このように、保持手段３８を設けることで、運搬時などの振動に対して筒状パイナップルＰのがたつきが少なくなる。換言すれば、収容される食品の商品価値が損なわれずにすむ。
【００３６】
蓋本体部３１の上壁部３２は、内径が筒状パイナップルＰの外径よりもやや大きく、中央部に円形状の凸部３２ａが形成されている。そして、蓋体３０の上壁部３２と筒状パイナップルＰの上部の端面との間には、所定の大きさの空間Ｓが形成されている。
【００３７】
蓋外周部４０の摘み片４６は、容器本体１の摘み片２７と同一形状であり、両摘み片４６，２７を重ね合わせて嵌合させてもよい。この場合、複数の食品用包装容器Ａ，…を直立した状態で陳列する際、隣り合う摘み片４６，２７同士が干渉しないように陳列することで、多くの食品用包装容器Ａ，…を陳列できるようになる。また、容器本体１の摘み片２７に対して、蓋体３０の摘み片４６が４５度ずれた位置に嵌合させてもよい。この場合、二つの摘み片４６，２７を互いに異なる方向に引っ張りやすくなって、容器本体１から蓋体３０を取り外しやすくなる。
【００３８】
つぎに本実施形態に係る食品用包装容器の使用態様について説明する。まず、パイナップルの芯部を取り除いて筒状に加工し、容器本体１の上面開口部１４から蓋体３０を取り外して、容器本体１の上面開口部１４から筒状パイナップルＰを直立した状態で挿入する。この状態で、容器本体１の嵌合凸部２８に、蓋体３０の嵌合凹部４７を当接させ、嵌合凸部２８と嵌合凹部４７を上下方向から複数箇所に亘って押圧すると、嵌合凹部４７の膨らみを越えて、嵌合凸部２８が嵌入するようになり、嵌合凸部２８の外環状部２２，頂部２４、垂下部２５に、嵌合凹部４７の第２立上り部４２、頂部４３，立下り部４４とが密接するようになり、容器本体１の上面開口部１５が蓋体３０によって閉塞される。
【００３９】
そして、容器本体１から蓋体３０を取り外す場合は、互いの摘み片４６，２７を異なる方向に引っ張ると、上述した密接状態が解除され、嵌合凸部２８と嵌合凹部４７の嵌合が容易に解除されて、蓋体３０が容器本体１から円滑に、即ち力をかけずして取り外すことができる。
【００４０】
また、複数の食品用包装容器Ａ，…を、水平方向に設けられた載置台５１及び傾斜して設けられた支持板５２を有する棚５０に陳列する場合は、図７に示すように、先頭の容器本体１を斜めにして、容器本体１の側壁部１０の平坦部１３を上側、消費者の目にとまる位置に位置するように、蓋体３０の側壁部３４の平坦な壁面を棚５０の載置台５１に当接し、先頭の容器Ａの容器本体１の側壁部１０の平坦部１３に、二列目の容器Ａの蓋体３０の側壁部１０の平坦な壁面を当接させ、互いに安定した状態で、容器本体１の側壁部１０から筒状パイナップルＰを外観視できるようにする。そうすることで、筒状パイナップルＰを蓋体３０及び容器本体１の側壁部１０から目視できるようになる。したがって、ひときわ消費者に対して目を引くようになり、消費者の購買意欲が掻き立てられるようになる。
【００４１】
なお、本発明は、前記実施の形態に限定することなく、特許請求の範囲に記載した発明特定事項の範囲内において種々変更することができる。例えば、容器本体及び蓋体の断面形状を８角柱状としたが、円形や楕円状であってもよい。
【００４２】
また、前記実施形態の場合、容器本体１の高さよりも蓋体３０の高さを小さくしたが、図８に示すように、容器本体１００の高さよりも蓋体３００の高さを大きくしてもよい。この場合、容器本体１００の高さが低くなる分、容器本体１００の上面開口部から筒状又は柱状の食品が突出するようになり、該食品を容器本体１から取り出しやすくなる。そして、保持手段３８０として、蓋体３００の内面から食品の上部に向かって突出する複数の保持壁部３８０ａ，…を設けてもよく、食品の下部の外周を囲むように、容器本体１００の底壁部に環状壁部３８０ｂを設けてもよい。
【００４３】
また、前記実施形態の場合、食品用包装容器Ａに収容する食品として、筒状パイナップルＰを収容するようにしたが、円柱状に加工されたハムを収容するようにしてもよい。
【００４４】
また、前記実施形態の場合、容器本体１と蓋体３０との嵌合を内外嵌合にしたが、図９に示すように、立下り部４４及び縁部４５がなく、折曲部４１、立上がり部４２、頂部４３を有する外周部４００による嵌合であってもよい。
【符号の説明】
【００４５】
１，１００…容器本体、２…本体部、３…底壁部、４…第１凸部、５…第２凸部、６…第１凹部、７ａ，７ｂ、８ａ，８ｂ…側面、９…脚部（第２凹部）、９ａ…突条体、１０，３４…側壁部、１０ａ…壁面、１１…第３凸部、１２…第４凸部、１３…平坦部、１４…上面開口部、１５…第１鍔部、１６…内環状部、２０…外周部、２１…第２鍔部、２２…外環状部、２３，４１…折曲部、２４，４３…頂部、２５…垂下部、２６，４５…縁部、２７，４６…摘み片、２８…嵌合凸部、３０，３００…蓋体、３１…本体部、３２…上壁部、３２ａ…凸部、３３…下面開口部、３４ａ…壁面、３５…段落部、３６…第１立上り部、３７…鍔部、３８，３８０…保持手段、４０，４００…外周部、４２…第２立上り部、４４…立下り部、４７…嵌合凹部、５０…棚、５１…載置台、５２…支持板、３８０ａ…保持壁部、３８０ｂ…環状壁部、Ａ…食品用包装容器、Ｐ…筒状パイナップル、Ｓ…空間
【図１】
2011046404.tif 000003
【図２】
2011046404.tif 000004
【図３】
2011046404.tif 000005
【図４】
2011046404.tif 000006
【図５】
2011046404.tif 000007
【図６】
2011046404.tif 000008
【図７】
2011046404.tif 000009
【図８】
2011046404.tif 000010
【図９】
2011046404.tif 000011